(57)【要約】【課題】放射性物質で汚染されたプラントなどの施設の解体計画の立案を、適切に支援すること。【解決手段】廃棄物量総合管理装置は、廃棄物機器の形状を示す３Ｄモデルデータに対して、解体開始時点における残留放射能データをもとに、廃棄物機器上の放射能分布を計算する放射能分布計算装置４０と、廃棄物機器を廃棄物機器断片に切断するための切断線を廃棄物機器の３Ｄモデルデータに設定した切断線付３Ｄデータ１３０を生成する切断線生成装置５０と、を有しており、切断線生成装置５０は、高レベル用容器に充填する廃棄物機器断片のための第１切断線設定ルールと、低レベル用容器に充填する廃棄物機器断片のための第２切断線設定ルールとを互いに異なるルールで設定する。【選択図】  図１
2020091102.tif 000002
【特許請求の範囲】
【請求項１】
廃棄物機器の形状を示す形状モデルデータに対して、解体開始時点における残留放射能データをもとに、前記廃棄物機器上の放射能分布を計算する放射能分布計算部と、
前記廃棄物機器を廃棄物機器断片に切断するための切断線を前記廃棄物機器の前記形状モデルデータに設定した切断線付形状データを生成する切断線生成部と、
前記切断線付形状データに従って切断された各前記廃棄物機器断片を収納する廃棄物収納容器について、放射能分布の放射能濃度に応じて高レベル用容器と低レベル用容器とに分けて充填するための容器モデルデータを生成する容器モデル生成部とを有しており、
前記切断線生成部は、前記高レベル用容器に充填する前記廃棄物機器断片のための第１切断線設定ルールと、前記低レベル用容器に充填する前記廃棄物機器断片のための第２切断線設定ルールとを互いに異なるルールで設定することを特徴とする
廃棄物処理装置。
【請求項２】
前記切断線生成部は、前記廃棄物機器上の高レベルの放射能分布となる箇所は密に切断線を設定する前記第１切断線設定ルールと、前記廃棄物機器上の低レベルの放射能分布となる箇所は粗に切断線を設定する前記第２切断線設定ルールとをもとに、各切断線を設定することを特徴とする
請求項１に記載の廃棄物処理装置。
【請求項３】
前記放射能分布計算部は、前記残留放射能データから読み込んだ放射能インベントリの理論値を、前記廃棄物機器の現場線量を計測した計測値で補正することで、前記廃棄物機器上の放射能分布を計算することを特徴とする
請求項１に記載の廃棄物処理装置。
【請求項４】
前記廃棄物処理装置は、さらに、計算制御部を有しており、
前記放射能分布計算部は、複数の解体開始時点の候補それぞれについて、前記廃棄物機器上の放射能分布を計算して、その計算結果を前記切断線生成部の入力とし、
前記切断線生成部は、複数の解体開始時点の候補それぞれについて、前記切断線付形状データを生成し、
前記容器モデル生成部は、複数の解体開始時点の候補それぞれについて、前記切断線付形状データから前記容器モデルデータを生成し、
前記計算制御部は、複数の解体開始時点の候補それぞれについて、前記容器モデルデータと、その容器モデルデータに対する評価指標とを廃棄物量評価画面に表示することを特徴とする
請求項１に記載の廃棄物処理装置。
【請求項５】
前記計算制御部は、必要となる前記高レベル用容器の個数と、解体終了時点のデータとを、前記廃棄物量評価画面に評価指標として表示することを特徴とする
請求項４に記載の廃棄物処理装置。
【請求項６】
廃棄物処理装置は、放射能分布計算部と、切断線生成部と、容器モデル生成部とを有しており、
前記放射能分布計算部は、廃棄物機器の形状を示す形状モデルデータに対して、解体開始時点における残留放射能データをもとに、前記廃棄物機器上の放射能分布を計算し、
前記切断線生成部は、前記廃棄物機器を廃棄物機器断片に切断するための切断線を前記廃棄物機器の前記形状モデルデータに設定した切断線付形状データを生成し、
前記容器モデル生成部は、前記切断線付形状データに従って切断された各前記廃棄物機器断片を収納する廃棄物収納容器について、放射能分布の放射能濃度に応じて高レベル用容器と低レベル用容器とに分けて充填するための容器モデルデータを生成し、
前記切断線生成部は、前記高レベル用容器に充填する前記廃棄物機器断片のための第１切断線設定ルールと、前記低レベル用容器に充填する前記廃棄物機器断片のための第２切断線設定ルールとを互いに異なるルールで設定することを特徴とする
廃棄物処理方法。
【発明の詳細な説明】
【技術分野】
【０００１】
本発明は、廃棄物処理装置、および、廃棄物処理方法に関する。
【背景技術】
【０００２】
放射性物質で汚染されたプラントなどの施設の解体作業は、困難な作業であるので、特に注意深く事前に計画する必要がある。例えば、解体作業の計画を支援するシステムとして、以下の各文献にそれぞれ開示されている。
特許文献１には、放射性物質で汚染された施設の解体作業において、表面線量率がしきい値以下である部分を切り離し、容器に収納することが記載されている。
特許文献２には、原子力プラントの解体手順計画に関するもので、廃棄物収納容器は容器番号ごとに放射能量が管理されていることが記載されている。
特許文献３には、放射性固体廃棄物の処理方法に関するもので、処分区分の異なる複数の部分に分割し、放射能濃度の高い細片を中央部に配置し、放射能濃度の低い細片を周辺部に配置するが、高濃度と低濃度の細片をそれぞれ別の容器に収納することも可能であることが記載されている。
特許文献４には、放射性廃棄物の収納計画に関するもので、各機器・配管の線量率の強度に応じた配置位置、及び、組み合わせごとに容器に収納する方法が記載されている。
【先行技術文献】
【特許文献】
【０００３】
【特許文献１】特開２０１７―０９６６９６号公報
【特許文献２】特開２０１６―２１１９５２号公報
【特許文献３】特開２００２―２０７０９８号公報
【特許文献４】特開２０１５―２３０２２３号公報
【発明の概要】
【発明が解決しようとする課題】
【０００４】
廃棄物機器を廃棄物機器断片に切断する場合、いつ、どのような順序で、どの程度の粒度の断片になるように切断工程を設けるかが重要となる。つまり、廃棄物機器上にどのような切断線を設けるかによって、切断に要する期間や、切断結果の廃棄物機器断片の分量などが決まってくる。特許文献４には、切断工程の良し悪しを決める尺度として、「プラント全体として、廃棄物収納容器の個数が少なくなるようにする」旨が記載されている。
【０００５】
ここで、通常の解体作業と異なり、放射性物質で汚染された廃棄物機器の解体作業には、放射能に関する特殊な事情もある。例えば、廃棄物機器断片を収容する廃棄物収納容器として、高レベル放射能用の高レベル用容器と、低レベル放射能用の低レベル用容器とでは、同じ容量の廃棄物機器断片を収容するものであっても、そのコストは圧倒的に高レベル用容器のほうが高くなる。例えば、放射線の容器外への漏洩を抑えるために、高レベル用容器には厚い容器板が使用されたり、高レベル用容器を地中に保管するために何百メートルも地下を掘り下げたりすることで、コストが高くなってしまう。
【０００６】
さらに、社会からの要請により、解体作業が収束するまでの作業期間の短縮化も求められる。このように、廃棄物機器の解体作業計画の良し悪しを決める尺度はさまざまなものがあり、それらをバランスよく満たす適切な解体計画を立案することは至難である。
【０００７】
そこで、本発明は、放射性物質で汚染されたプラントなどの施設の解体計画の立案を、適切に支援することを、主な課題とする。
【課題を解決するための手段】
【０００８】
前記課題を解決するために、本発明の廃棄物処理装置は、以下の特徴を有する。
本発明は、廃棄物機器の形状を示す形状モデルデータに対して、解体開始時点における残留放射能データをもとに、前記廃棄物機器上の放射能分布を計算する放射能分布計算部と、
前記廃棄物機器を廃棄物機器断片に切断するための切断線を前記廃棄物機器の前記形状モデルデータに設定した切断線付形状データを生成する切断線生成部と、
前記切断線付形状データに従って切断された各前記廃棄物機器断片を収納する廃棄物収納容器について、放射能分布の放射能濃度に応じて高レベル用容器と低レベル用容器とに分けて充填するための容器モデルデータを生成する容器モデル生成部とを有しており、
前記切断線生成部が、前記高レベル用容器に充填する前記廃棄物機器断片のための第１切断線設定ルールと、前記低レベル用容器に充填する前記廃棄物機器断片のための第２切断線設定ルールとを互いに異なるルールで設定することを特徴とする。
その他の手段は、後記する。
【発明の効果】
【０００９】
本発明によれば、放射性物質で汚染されたプラントなどの施設の解体計画の立案を、適切に支援することができる。
【図面の簡単な説明】
【００１０】
【図１】本発明の一実施形態に関する廃棄物量総合管理装置の構成図である。
【図２】本発明の一実施形態に関する廃棄物量総合管理装置の表示画面のうちの解体計画支援システムのトップ画面の一例である。
【図３】本発明の一実施形態に関する廃棄物量総合管理装置の表示画面の遷移図である。
【図４】本発明の一実施形態に関する工程指定画面を示す画面図である。
【図５】本発明の一実施形態に関する放射能データ読込画面を示す画面図である。
【図６】本発明の一実施形態に関する切断変数指定画面を示す画面図である。
【図７】本発明の一実施形態に関する廃棄物量評価画面を示す画面図である。
【図８】本発明の一実施形態に関する廃棄物量総合管理装置の処理を示すフローチャートである。
【図９】本発明の一実施形態に関する３Ｄモデルデータベースに格納される３Ｄモデルを示す立体図である。
【図１０】本発明の一実施形態に関する３Ｄモデルデータベースに格納される３Ｄモデルの属性データを示すテーブルである。
【図１１】本発明の一実施形態に関する残留放射能データベースに格納される残留放射能データを示すテーブルである。
【図１２】本発明の一実施形態に関する収納容器タイプ格納データベースに格納される収納容器タイプデータを示すテーブルである。
【図１３】本発明の一実施形態に関する切断線付３Ｄデータの立体図である。
【図１４】本発明の一実施形態に関する２０２０年における切断線付３Ｄデータを示す平面図である。
【図１５】本発明の一実施形態に関する図１４の状態から５年後の２０２５年における切断線付３Ｄデータを示す平面図である。
【発明を実施するための形態】
【００１１】
以下、本発明の一実施形態を、図面を参照して詳細に説明する。
【００１２】
図１は、廃棄物量総合管理装置（廃棄物処理装置）の構成図である。
廃棄物量総合管理装置は、ＣＰＵ（Central Processing Unit）と、メモリと、ハードディスクなどの記憶手段（記憶部）と、ネットワークインタフェースとを有するコンピュータとして構成される。
このコンピュータは、ＣＰＵが、メモリ上に読み込んだプログラム（アプリケーションや、その略のアプリとも呼ばれる）を実行することにより、各処理部により構成される制御部（制御手段）を動作させる。
【００１３】
廃棄物量総合管理装置は、入力装置１０と、表示装置２０と、計算制御装置３０と、放射能分布計算装置４０と、切断線生成装置５０と、容器モデル生成装置６０とを処理装置（処理部）として有する。
さらに、廃棄物量総合管理装置は、記憶装置として、廃止措置工程データベース７０（詳細は図４）と、３Ｄモデルデータベース８０（詳細は図９、図１０）と、残留放射能データベース９０（詳細は図１１）と、収納容器タイプ格納データベース１００（詳細は図１２）と、評価結果格納データベース１１０（詳細は図７）と、切断変数格納部１２０（詳細は図６）と、切断線付３Ｄデータ１３０（詳細は図１３）の記憶部とを有する。
【００１４】
以下、図２〜図７の各画面図を参照して、廃棄物量総合管理装置の詳細を説明する。なお、入力装置１０は、各画面を介して入力データの入力を受け付ける。表示装置２０は、計算制御装置３０から指示された各画面を表示する。
ここでは、プラント内の配管などが放射能被曝した後の解体作業を例示する。解体作業では、廃棄物機器となった配管を切断することで廃棄物機器断片とし、その廃棄物機器断片を廃棄物収納容器に充填し、その廃棄物収納容器をプラント外に運び出す作業を想定する。
表示装置２０は、例えば、切断線生成装置５０を作動させた結果得られた機器の切断線と、容器モデル生成装置６０を作動させた結果得られた廃棄物収納容器の時系列的な変化を可視化する。
【００１５】
図２は、廃棄物量総合管理装置の表示画面のうちの解体計画支援システムのトップ画面２０００の一例である。
トップ画面２０００は、以下の各ボタンを含む。
・図４の工程指定画面２１００に遷移して、廃棄物量評価時の工程種類を設定するボタン２００２。
・図５の放射能データ読込画面２２００に遷移して、核種ごとの壊変と解体作業進行に伴う放射能量の減衰データを取り込む放射能量を設定するボタン２００３。
・図６の切断変数指定画面２３００に遷移して、切断時の詳細パラメータを設定するボタン２００４。
・切断・解体計画を計算・実行する実行ボタン２００５。
・図７の廃棄物量評価画面２４００に遷移して、実行ボタン２００５の実行結果として得られた廃棄物量時系列推移評価結果を表示する廃棄物量ボタン２００６。
【００１６】
なお、評価実行前は、廃棄物量ボタン２００６が押せない状態になっていて、評価前であることがわかる。ここでは、あらかじめ、（工程１）〜（工程４）の各工程タブ２０１０〜２０１３を読み込んであれば、それらの工程をタブで表示して、表示対象の工程を切り替えることができる。
図２の例では、表示対象の（工程１）として、符号２０５１に示す廃棄物機器の機器番号「ＥＱ００１」と、その廃棄物機器の代表的な切断状態の３Ｄ表示例２０５０とが表示される。代表的な切断状態は、例えば、廃棄物収納容器に格納できるように等間隔で切断したような状態である。
【００１７】
図３は、廃棄物量総合管理装置の表示画面の遷移図である。図３の破線矢印で示すように、図２のトップ画面２０００から各ボタンが押されることで、各詳細画面に遷移する。
工程ボタン２００２が押されたとき、図４の工程指定画面２１００に遷移する。
放射能ボタン２００３が押されたとき、図５の放射能データ読込画面２２００に遷移する。
切断変数ボタン２００４が押されたとき、図６の切断変数指定画面２３００に遷移する。
遷移先の各詳細画面から必要な切断・解体条件を設定した後、廃棄物量ボタン２００６が押されると、図７の廃棄物量評価画面２４００に遷移する。
図３の破線矢印で示すように、遷移先の各画面から戻るボタンを押すなどして、トップ画面２０００に戻る。
【００１８】
図４は、工程指定画面２１００を示す画面図である。管理者は、工程指定画面２１００を介して、廃止措置工程データベース７０の工程を確認したり修正したりする。
まず、管理者は、開始日ボタン２１０２、終了日ボタン２１０４を押すことで、カレンダからの日付を指定する。ここでは、例えば、２０２０年１月１日（符号２１０３）を開始日に、２０３０年１２月３１日を終了日（符号２１０５）に設定する。
このとき、管理者は、例えば読み込みボタン２１３１を押して廃止措置工程データベース７０から読み込んだ工程ごとのガントチャート２１４０の表示を確認する。ガントチャート２１４０には、廃棄物機器Ａ〜Ｄごとの解体作業が年ごと（２０２０年、２０２１年、２０２２年…）に区切って登録されている。
管理者は、作成ボタン２１３０を押して新規に工程を作成してもよいし、表示された工程を修正してもよい。なお、トップ画面２０００と同様に工程指定画面２１００でも、各工程タブ２１１０〜２１１３により、複数の工程から１つの工程を表示対象として選択することができる。
【００１９】
図５は、放射能データ読込画面２２００を示す画面図である。工程指定画面２１００と同様に、管理者は、放射能データ読込画面２２００から開始日ボダン２２０２、終了日ボタン２２０４を押すことで、カレンダからの日付を指定する。ここでは、例えば、２０２０年１月１日（符号２２０３）を開始日に、２０３０年１２月３１日を終了日（符号２２０５）に設定する。
管理者は、読み込みボタン２２３１を押して、残留放射能データベース９０のデータ内容を放射能データ読込画面２２００に表示させる。残留放射能データベース９０には、例えば、プラントに残っている廃棄物機器の残量に応じた放射能量（プラント内放射能量）の時系列的な減衰データ（グラフ２２４０）が登録されている。
なお、トップ画面２０００と同様に放射能データ読込画面２２００でも、各工程タブ２２１０〜２２１３により、複数の工程から１つの工程を表示対象として選択することができる。
【００２０】
なお、グラフ２２４０は、２０２０年から２０２３年までの工程前期と、２０２３年から２０２６年までの工程中期（符号２２４１）と、２０２６年から２０３０年までの工程後期とで右下がりの傾きが異なっている。まず、工程前期と工程後期とでは解体進捗に伴ってプラントから廃棄物機器が搬出されるため、廃棄物機器の残量そのものの減少により、プラント内の放射能も大きく減衰している。一方、工程中期では、解体が休止される期間であり廃棄物機器の残量は不変のため、プラント内の放射能は放射能そのものの半減期による小さい減衰にとどまる。
【００２１】
図６は、切断変数指定画面２３００を示す画面図である。入力装置１０は、管理者から切断変数指定画面２３００を介して受け付けた入力データを、切断変数格納部１２０に格納する。
切断変数指定画面２３００は、以下の各情報の入力を受け付ける。
・プラントや工程を示す情報（エリア２３１１、系統番号２３１２、工程タイプ２３１５）
・プラント内の廃棄物機器を示す情報（機器番号２３２０）
・廃棄物機器から切断された廃棄物機器断片を示す情報（切断長２３１６、径方向分割数２３１７、切断手順２３１８）
・廃棄物機器断片を収納する廃棄物収納容器を示す情報（充填率２３１３、容器タイプ２３１４、放射能濃度範囲２３１９）
なお、放射能濃度範囲２３１９とは、廃棄物収納容器内に収納できる廃棄物機器断片の放射能濃度の範囲を示す。放射能濃度に応じて高レベル用容器や、低レベル用容器などの複数種類の廃棄物収納容器が存在する（詳細は図１２）。
管理者は、以上の各情報を直接入力したりプルダウンメニューから入力値を選択したりした後、設定ボタン２３３１を押すことで切断変数格納部１２０に入力データが格納される。一旦、切断変数を指定した後は、管理者は、例えば、各機器番号を選択すれば、設定したパラメータを読み出して再編集することができる。
【００２２】
図７は、廃棄物量評価画面２４００を示す画面図である。廃棄物量評価画面２４００は、縦軸に解体に伴って発生した廃棄物収納容器の個数を評価項目として縦軸にした時系列グラフを示す。
廃棄物量評価画面２４００には、評価結果格納データベース１１０から読み出した切断・解体シミュレーションの評価結果が、各工程タブ２４１０〜２４１３から工程別に表示される。工程指定画面２１００と同様に、管理者は、開始日ボダン２４０２、終了日ボタン２４０４を押すことで、カレンダからの日付を指定する。ここでは、例えば、２０２０年１月１日（２４０３）を開始日に、２０３０年１２月３１日を終了日（２４０５）に設定する。
【００２３】
そして、管理者は、読み込みボタン２４３１を押すことにより評価結果格納データベース１１０から読み出された、高レベル用容器の個数の時系列的な変化を示す累積カーブ２４４１や、廃棄物収納容器の発生率２４４２の表示内容を確認できる。
また、廃棄物量評価画面２４００には、工程ごとの評価指標として、高レベル用容器の個数だけでなく、解体終了時点のデータ（つまり、解体が早く終了するほど高評価となる指標）も併せて表示してもよい。
【００２４】
図８は、廃棄物量総合管理装置の処理を示すフローチャートである。
Ｓ１０１として、計算制御装置３０は、廃止措置工程データベース７０に設定された工程データ、または、廃止措置工程データベース７０から読み込まれた工程データについて、以下のＳ１０２〜Ｓ１１５のループを工程ごとに実行する。
Ｓ１０２として、計算制御装置３０は、未処理の工程が存在するか否かを判定する。Ｓ１０２でＹｅｓなら未処理の工程から１つの工程を解体・切断シミュレーションの処理対象として選択してＳ１１１に進み、ＮｏならＳ１２１に進む。
【００２５】
Ｓ１１１として、入力装置１０は、残留放射能データベース９０のデータ内容を読み込む。
Ｓ１１２として、放射能分布計算装置４０は、Ｓ１１１で読み込んだ残留放射能データベース９０をもとに、３Ｄモデルデータベース８０から読み込んだ廃棄物機器に付されている放射能の解体開始時点における３Ｄ分布（放射能分布）を計算する。この放射能分布は、廃止措置工程データベース７０から読み込んだ期間データに応じて、適宜半減期の計算などで修正したものである（詳細は図１４，図１５）。
なお、放射能分布計算装置４０は、残留放射能データベース９０から読み込んだ放射能インベントリの理論値を、廃棄物機器の現場線量を計測した計測値で補正することで、廃棄物機器上の放射能分布を計算してもよい。
【００２６】
Ｓ１１３として、切断線生成装置５０は、切断変数格納部１２０の切断変数を参照して、Ｓ１１２で計算した廃棄物機器の放射能分布に応じて切断モデルを生成し、その生成結果を切断線付３Ｄデータ１３０とする。
Ｓ１１４として、容器モデル生成装置６０は、Ｓ１１３の切断線付３Ｄデータ１３０の切断線に沿って切断された廃棄物機器断片を、廃棄物収納容器に収納する容器詰め込みモデルを生成し、その生成結果を収納容器タイプ格納データベース１００に格納する。ここで、容器詰め込みモデルでは、廃棄物機器断片を収納する廃棄物収納容器について、放射能分布の放射能濃度に応じて、図１２の高レベル用容器と低レベル用容器とに分けて充填される。
【００２７】
Ｓ１１５として、計算制御装置３０は、収納容器タイプ格納データベース１００を参照して、廃棄物機器を廃棄物機器断片に切断する工程を含めたプラント解体工程を評価し、その評価結果を評価結果格納データベース１１０に格納する。ここでのプラント解体工程の評価尺度としては、空間コスト（廃棄物収納容器の個数が少ないほど高評価）や、時間コスト（解体終了時点が早いほど高評価）などが挙げられる。
以上、Ｓ１１１〜Ｓ１１５が１つの工程に対する工程の評価処理であり、次の工程の評価処理に移行するために処理をＳ１０２に戻す。
【００２８】
Ｓ１２１として、計算制御装置３０は、各工程の評価を終えた後、廃棄物量評価画面２４００を表示させることで、各工程を管理者に比較させる。これにより、例えば、管理者は、（工程１）〜（工程４）のうち、空間コストと時間コストとの双方をバランスよく小さくできる（工程３）を工程の代表案として採用する、などの重要な意志決定ができる。
【００２９】
図９は、３Ｄモデルデータベース８０に格納される３Ｄモデルを示す立体図である。３Ｄモデル８０ａは、高汚染化あるいは高放射化された廃棄物機器の３Ｄ形状である。
図１０は、３Ｄモデルデータベース８０に格納される３Ｄモデル８０ａの属性データを示すテーブルである。３Ｄモデル８０ａに対応付けて、その機器番号、寸法、重量、材質、放射能データ、および、解体工法を属性として３Ｄモデルデータベース８０に格納しておくことで、機器番号からの検索や工程データからの連携を容易にする。
【００３０】
図１１は、残留放射能データベース９０に格納される残留放射能データを示すテーブルである。残留放射能データベース９０には、プラントの建屋ごとに、系統と、機器（番号）と、重量と、核種ごとの（H3,Be10,Co60それぞれの）放射化量と、汚染量とが対応付けられている。放射化量および汚染量は、Bq/tの単位で表現したものである。
【００３１】
図１２は、収納容器タイプ格納データベース１００に格納される収納容器タイプデータを示すテーブルである。収納容器タイプ格納データベース１００には、廃棄物収納容器のタイプごと（Ｌ１＝高レベル用容器、Ｌ２−１ａ＝低レベル用容器）に、放射能濃度範囲、廃棄物収納容器およびそこに収容される廃棄物機器断片の重量上限、容器寸法、材質、充填率などが格納される。
【００３２】
図１３は、切断線付３Ｄデータ１３０の立体図である。切断線生成装置５０は、図１０の３Ｄモデル８０ａに対して、残留放射能に高さ方向や面方向の放射能濃度が定義される場合、あるいは、プラント運転中の放射能分布の３Ｄ計算が得られた場合、３Ｄモデル８０ａに切断線を生成し、廃棄物収納容器に格納できる寸法に切断したモデルを生成する。
例えば、図１３では、円筒形の高さ方向の中央部に高放射化部分が存在し（放射能濃度が所定閾値を超過する部分）、高さ方向の上下端部に低放射化部分が存在していたとする（放射能濃度が所定閾値を下回る部分）。
【００３３】
切断線生成装置５０は、高放射化部分は細かい（小さな）廃棄物機器断片１３２に切断するように、切断線を生成する（第１切断線設定ルール）。一方、切断線生成装置５０は、低放射化部分は粗い（大きな）廃棄物機器断片１３１，１３３に切断するように、切断線を生成する（第２切断線設定ルール）。
これにより、廃棄物機器断片１３２は細かく砕かれるので、高レベル用容器に収容するときには隙間なく埋められるので、充填率を上げることができる。その結果、充填される高レベル用容器の個数を節約できる。
【００３４】
図１４は、２０２０年における切断線付３Ｄデータ１３０を示す平面図である。ここでは、放射能分布計算装置４０が２０２０年における放射能分布として、中央に大きめの放射能分布３１１を出力したとする。
切断線生成装置５０は、放射能分布３１１を参照して３Ｄモデルデータベース８０の廃棄物機器から切断線付３Ｄデータ１３０を作成するときに、放射能分布３１１を通過する範囲（横範囲３１２、縦範囲３１３）には破線で図示する切断線を密に設定し、その他の放射能分布３１１を通過しない範囲には切断線を粗に設定する。これにより、図１３で説明した場合と同様に、充填される高レベル用容器の個数を節約できる。
【００３５】
また、低レベル用容器には粗い（大きな）廃棄物機器断片が収容される。そのため、低レベル用容器の充填率は高レベル用容器の充填率よりも下回ってしまう。しかし、一般的には低レベル用容器の個数が多少増えたとしても、その保管コストは高レベル用容器の場合よりも少なくて済む。一方で、粗い（大きな）廃棄物機器断片に切断する工程では、切断作業が簡略化されるので、作業期間や作業時の被爆リスクを低減できる。
【００３６】
図１５は、図１４の状態から５年後の２０２５年における切断線付３Ｄデータ１３０を示す平面図である。ここでは、放射能分布計算装置４０が２０２０年における放射能分布として、中央に小さめの放射能分布３２１を出力したとする。これは、２０２０年から２０２５年の５年間の時間経過により、放射能分布が自然減少（半減）したことによる。
切断線生成装置５０は、図１４と同様に、放射能分布３２１を通過する範囲（横範囲３２２、縦範囲３２３）には切断線を密に設定し、その他の放射能分布３２１を通過しない範囲には切断線を粗に設定する。
【００３７】
これにより、図１４の場合に比べて、さらに高レベルの廃棄物機器断片の個数が減るので、充填される高レベル用容器の個数をさらに節約できる。もし、最終処分場が確保しづらいなどの事情により高レベル用容器の個数に上限がある場合には、切断線生成装置５０は、このように解体開始時点を遅らせてから未来の切断線を計算してもよい。
【００３８】
以上説明した本実施形態では、放射能分布計算装置４０が所定期間における放射能分布を計算し、切断線生成装置５０が放射能分布の放射能濃度（高レベル範囲、低レベル範囲）に応じて最適な切断線を作成する。
これにより、高レベルの放射性廃棄物量に関する解体計画について、放射能濃度を考慮して、適切な切断線を提示できる。よって、高レベル用容器の個数を減らすとともに、切断作業期間も短縮化できる。
【００３９】
なお、３Ｄモデルデータベース８０と残留放射能データベース９０とに基づいてプラントの解体計画（廃止措置工程データベース７０の各工程）を作成するときに、廃棄物量総合管理装置は、以下に示すようにさまざまな立案支援を行う。
・放射能分布計算装置４０は、時期により変動する廃棄物の残留放射能を考慮して、各時期の放射能分布を計算することで、最適な解体開始時期を設定させる。
・切断線生成装置５０は、廃棄物機器に対する切断線がなるべく長くなるような切断線を、切断線付３Ｄデータ１３０に設定する。
・切断線生成装置５０は、必要となる高レベル用容器の数が最小となるような切断線付３Ｄデータ１３０を作成する。
・容器モデル生成装置６０は、廃棄物収納容器に収容される廃棄物機器断片が、廃棄物収納容器の制約条件（図７の放射能濃度範囲２３１９など）を満たす容器モデルを計算し、その計算結果を収納容器タイプ格納データベース１００に格納する。
・計算制御装置３０は、各工程の評価結果として、必要となる高レベル用容器の数と、必要となる解体コスト（作業期間における動員する作業員数などのコスト）とを同時に考慮した最適化指標での評価結果を作成し、その結果を評価結果格納データベース１１０に格納するとともに、廃棄物量評価画面２４００などに表示する。
【００４０】
なお、本発明は前記した実施例に限定されるものではなく、さまざまな変形例が含まれる。例えば、前記した実施例は本発明を分かりやすく説明するために詳細に説明したものであり、必ずしも説明した全ての構成を備えるものに限定されるものではない。
また、ある実施例の構成の一部を他の実施例の構成に置き換えることが可能であり、また、ある実施例の構成に他の実施例の構成を加えることも可能である。
また、各実施例の構成の一部について、他の構成の追加・削除・置換をすることが可能である。また、上記の各構成、機能、処理部、処理手段などは、それらの一部または全部を、例えば集積回路で設計するなどによりハードウェアで実現してもよい。
また、前記の各構成、機能などは、プロセッサがそれぞれの機能を実現するプログラムを解釈し、実行することによりソフトウェアで実現してもよい。
【００４１】
各機能を実現するプログラム、テーブル、ファイルなどの情報は、メモリや、ハードディスク、ＳＳＤ（Solid State Drive）などの記録装置、または、ＩＣ（Integrated Circuit）カード、ＳＤカード、ＤＶＤ（Digital Versatile Disc）などの記録媒体に置くことができる。
また、制御線や情報線は説明上必要と考えられるものを示しており、製品上必ずしも全ての制御線や情報線を示しているとは限らない。実際にはほとんど全ての構成が相互に接続されていると考えてもよい。
さらに、各装置を繋ぐ通信手段は、無線ＬＡＮに限定せず、有線ＬＡＮやその他の通信手段に変更してもよい。
【符号の説明】
【００４２】
１０    入力装置
２０    表示装置
３０    計算制御装置（計算制御部）
４０    放射能分布計算装置（放射能分布計算部）
５０    切断線生成装置（切断線生成部）
６０    容器モデル生成装置（容器モデル生成部）
７０    廃止措置工程データベース
８０    ３Ｄモデルデータベース（形状モデルデータ）
９０    残留放射能データベース（残留放射能データ）
１００  収納容器タイプ格納データベース（容器モデルデータ）
１１０  評価結果格納データベース
１２０  切断変数格納部
１３０  切断線付３Ｄデータ（切断線付形状データ）
【図１】
2020091102.tif 000003
【図２】
2020091102.tif 000004
【図３】
2020091102.tif 000005
【図４】
2020091102.tif 000006
【図５】
2020091102.tif 000007
【図６】
2020091102.tif 000008
【図７】
2020091102.tif 000009
【図８】
2020091102.tif 000010
【図９】
2020091102.tif 000011
【図１０】
2020091102.tif 000012
【図１１】
2020091102.tif 000013
【図１２】
2020091102.tif 000014
【図１３】
2020091102.tif 000015
【図１４】
2020091102.tif 000016
【図１５】
2020091102.tif 000017